(57)【要約】    【構成】  メイン液晶表示ユニット１８およびサブ液晶表示ユニット１４を厚み方向に重ね、その間に両面発光装置１０を設ける。両面発光装置１０はプリズムシート２０、導光板１２、半透過型反射シート１６およびプリズムシート２０を順番に重ねられた積層体である。光源から導光板１２へ入射された光の一部は半透過型反射シート１６の下面を透過しサブ液晶表示ユニット１４へ向かい、その他の光は半透過型反射シート１６の上面で反射してメイン液晶表示ユニット１８に向かう。    【効果】  半透過型反射シート１６により２つの液晶表示ユニット１８および１４に光を与えることができる。また、導光板１２および半透過型反射シート１６を２つの液晶表示ユニット１８および１４に対して共通して用いるので、部品点数が少なくなり、それに伴い厚みを薄くでき、組み立て工数の削減や軽量化なども図ることができる。【選択図】  図１
2005108613.tif 000002
【特許請求の範囲】
【請求項１】
厚み方向に重なる２つの液晶表示ユニットに用いられる両面発光装置であって、
２つの光出射面から各液晶表示ユニットに光を与えるための導光板、および
前記導光板の前記一方光出射面に取り付けられた半透過型反射材を備え、
半透過型反射材により、導光板の一方光出射面へ光を反射し、導光板の他方光出射面から光を透過する、両面発光装置。
【請求項２】
前記導光板の一方面に光拡散用表面加工を施した、請求項１記載の両面発光装置。
【発明の詳細な説明】
【技術分野】
【０００１】
この発明は両面発光装置に関し、特にたとえば、折り畳み式携帯電話機の蓋体に、厚み方向に重なって設けられる２つの液晶表示ユニットに用いられる、両面発光装置に関する。
【背景技術】
【０００２】
特許文献１の両面液晶表示装置は２つの液晶モジュールを有し、その裏面にそれぞれバックライト照明用の導光板および反射シートを備える。導光板の断面形状は三角形であり、２枚の導光板を重ね合わせた際、その重ねた断面形状が四角形となるようにすることにより、厚みを薄くしている。
【０００３】
この特許文献１の両面液晶表示装置を図８に示す折り畳み式携帯電話機１の蓋体２に用いることができ、２つの液晶モジュールは蓋体２の内面に設けた液晶表示装置３および外面に設けた液晶表示装置４にそれぞれ対応する。
【特許文献１】特開２００２−２４４１３３号公報［Ｇ０２Ｆ  １／１３３５７、Ｇ０９Ｆ  ９／００］
【発明の開示】
【発明が解決しようとする課題】
【０００４】
特許文献１の両面液晶表示装置は２つの導光板、反射シートおよび光源を備えるので、組み立て工数は減少せず、薄型化および軽量化にも限界がある。
【０００５】
それゆえに、この発明の主たる目的は、薄型，軽量および安価である、両面発光装置を提供することである。
【課題を解決するための手段】
【０００６】
請求項１の発明は、厚み方向に重なる２つの液晶表示ユニットに用いられる両面発光装置であって、２つの光出射面から各液晶表示ユニットに光を与えるための導光板、および
導光板の一方光出射面に取り付けられた半透過型反射材を備え、半透過型反射材により、導光板の一方光出射面へ光を反射し、導光板の他方光出射面から光を透過する両面発光装置である。
【０００７】
請求項１の発明によると、２つの液晶表示ユニットを背中合わせに重ね、その液晶表示ユニットの間に両面発光装置を配置する。両面発光装置は導光板を有し、その一方面に半透過型反射材を取り付ける。
【０００８】
この透過型反射材により、光源から導光板に導かれた光の一部は導光板の光出射面および半透過型反射材を通り、液晶表示ユニットに与えられる。一方、残りの大部分の光は半透過型反射材で反射され、導光板の他方光出射面から他方の液晶表示ユニットへ与えられる。
【０００９】
このようにすると、１つの導光板および半透過型反射材により２つの液晶表示ユニットにそれぞれ光を与えることができる。また、２つの液晶表示ユニットに対して導光板および半透過型反射材を共通して用いることができるので、導光板および反射シートをそれぞれ１つずつ省略することができる。このため、これらの厚みおよび重量が減り、部品点数が少なくなることに伴い組み立て工数および材料費などを削減することできる。
【００１０】
請求項２の発明は、請求項１記載の発明において、導光板の一方面に光拡散用表面加工を施した両面発光装置である。
【００１１】
請求項２の発明によると、半透過型反射材により透過光を一方の液晶表示ユニットに与えると、その表示画面の視認性は十分であるが、この液晶表示ユニットに対応する導光板の部分に比較拡散用表面加工を施せば、この表面加工部分から液晶ユニットへ光が出射する際、表面加工により光が拡散されて液晶ユニットの全体へ均一に光が与えられので、液晶ユニットの表示画面の輝度が向上する。
【発明の効果】
【００１２】
導光板および半透過型反射材を共通化することにより、部品点数を削減した分だけ両面発光装置を薄く、軽くすることができ、かつ取り付け作業および材料費などを減らすことできる。
【００１３】
この発明の上述の目的，その他の目的，特徴および利点は、図面を参照して行う以下の実施例の詳細な説明から一層明らかとなろう。
【発明を実施するための最良の形態】
【００１４】
図１（Ａ）に示すこの発明の一実施例である両面発光装置１０は、図１（Ｂ）に示す導光板１２を有する。導光板１２にアクリルまたはポリカーボネートの透明樹脂が一般的に用いられるが、アクリル酸エステル、ポリエステル等熱可塑性樹脂、不飽和ポリエステル等透明な樹脂、透明なガラス、透明なセラミックなどを用いてもよい。導光板１２は図２（Ａ）および図２（Ｂ）に示す矩形の板状部材であり、その厚みは一定である。この導光板の図２（Ｂ）に示す一方面（後述するサブ液晶表示ユニット１４に対応する面）の内、一部１２ａにシボ１２ｂ、コーン１２ｃ、波形１２ｄなどの光拡散用表面加工が施される。図３（Ａ）および図３（Ｂ）に示すシボ１２ｂは扁平なドーム状であり、多数のシボ１２ｂがそれぞれ間隔を空けて導光板１２の表面に配置される。図４（Ａ）および図４（Ｂ）に示す円錐形状のコーン１２ｃはそれぞれ間隔を空けて配置される。図５（Ａ）および図５（Ｂ）に示す波形１２ｄの縦断面（入射面に垂直な面）は多数の三角形が連続する鋸歯状である。この部分１２ａの位置および大きさはサブ液晶表示ユニット１４に対応する位置および大きさである。図１（Ａ）に示すように、導光板１２の下面（サブ液晶表示ユニット１４側の面。図１（Ａ）の下側）に半透過型反射材１６が形成される。ただし、シボ１２ｂ、コーン１２ｃ、波形１２ｄなどの表面加工は、導光板１２のどちらの面に設けてもよい。また、図３（Ａ）に示すシボ１２ｂ、図４（Ａ）に示すコーン１２ｃおよび図５（Ａ）に示す波形１２ｄをそれぞれ等間隔に配置したが、これらの間隔を変えて形成してもよい。
【００１５】
半透過型反射材１６はたとえば半透過型反射シートであり、矩形の薄い板状部材である。この半透過型反射シート１６の上面（後述するメイン液晶表示ユニット１８側の面。図１（Ａ）の上側）で光が反射し、その下方（サブ液晶表示ユニット１４側）へ光が透過するように、導光板１２の下面上に配置される。
【００１６】
図１（Ｂ）に示すように、導光板１２の上面および半透過型反射シート１６の下面にそれぞれプリズムシート２０を取り付ける。プリズムシート２０は、たとえばポリエステル樹脂および高屈折率のアクリル樹脂の２層構造であり、その上面に断面が二等辺三角形状の突起（図示せず）が多数形成される。なお、導光板１２の上面のプリズムシート２０は半透過型反射シート１６の下面のプリズムシート２０より大きく形成される。
【００１７】
２つのプリズムシート２０にそれぞれ遮光両面接着テープ２２でメイン液晶表示ユニット１８（図１（Ｂ）の上側）およびサブ液晶表示ユニット１４（図１（Ｂ）の下側）を貼り付ける。メイン液晶表示ユニット１８およびサブ液晶表示ユニット１４はそれぞれ偏光板２４，ガラス板２６および偏光板２４を順番に積層されたものであり、それらはそれぞれプリズムシート２０と同時にフレーム２８に遮光両面接着テープ２２で接着される。この際、サブ液晶表示ユニット１４は導光板１２のシボ１２ｂ、コーン１２ｃ、波形１２ｄなどの表面加工が施された部分１２ａに対応する位置に取り付けられる。
【００１８】
これらの偏光板２４およびガラス板２６は、たとえばそれぞれが矩形の板状部材である。そして、メイン液晶表示ユニット１８の偏光板２４およびガラス板２６の平面形状はサブ液晶表示ユニット１４の偏光板２４およびガラス板２６よりそれぞれ大きく形成される。
【００１９】
フレーム２８は、たとえば酸化チタン等をポリカーボネートやアクリル等の合成樹脂に混ぜ込んで成形したものであり、内面が光を反射するように形成される。導光板１２の側面が対応するフレーム２８の位置に凸部２８ａを設ける。
【００２０】
このような両面発光装置１０、メイン液晶表示ユニット１８およびサブ液晶表示ユニット１４は、図１（Ａ）に示すたとえば携帯電話の蓋体３０内に収容され、メイン液晶表示ユニット１８を覆うようにメインスクリーン３２が設けられ、サブ液晶表示ユニット１４を覆うようにサブスクリーン３４が設けられる。両面発光装置１０の一方側面に光源（図示せず）が設けられる。この光源から導光板１２へ導かれた光の一部は導光板１２の下側光出射面および半透過型反射シート１６を透過し、プリズムシート２０およびサブ液晶表示ユニット１４を通って観察者の目に届く。一方、残りの大部分の光は透過型反射シートで反射して、導光板１２の上側光出射面から出射し、プリズムシート２０およびメイン液晶表示ユニット１８を通って観察者の目に届く。
【００２１】
このように構成された両面発光装置１０によると、メイン液晶表示ユニット１８およびサブ液晶表示ユニット１４に導光板１２、反射シートおよび光源をそれぞれ設ける必要がなく、導光板１２、半透過型反射シート１６および光源を共通して用いるので、部品点数を少なくすることができ、これに伴い軽量化、材料費および組み立てコストの低減化を図ることができる。また、厚みについても、少なくとも反射シートの１枚分だけ薄くすることができる。
【００２２】
また、導光板１２のサブ液晶表示ユニット１４に対応する部分１２ａにシボ１２ｂ、コーン１２ｃ、波形１２ｄなどの光拡散表面加工を施すことにより、光が散乱してサブ液晶表示の輝度が均一になるので、表示画面の明るさを向上させることができる。
【００２３】
フレーム２８の内面が光を反射すれば、導光板１２の側面から出射される光はフレーム２８の凸部２８ａ内面で反射させて、導光板１２内に入射するので、光源からの光を効率よく利用できる。
【００２４】
なお、導光板１２に厚みが一定であり、縦断面（入射面に垂直な面）形状が長方形の板状部材を用いたが、これに代えて図６に示す縦断面形状が台形（入射面側の厚みが大きい）の導光板１２や入射面側に図７に示す突起３６を設けた導光板１２などを用いてもよい。図６に示す導光板１２の入射面側の厚みは大きく、厚みは徐々に減少し、その反対側の厚みは小さくなる。ここで、導光板１２の縦断面形状は台形であるが、楔形など厚みが徐々に変化するものであっても制限されるものでない。図７に示す導光板１２の厚みは一定であるが、入射面側のみが突出し（突起３６）、その厚みは大きくなっている。ここで、縦断面形状の厚みが一定の導光板１２に突起３６を設けたが、厚みが徐々に変化する導光板１２に突起３６を設けてもよい。これらの導光板１２のように、入射面（図６および図７の右）側の厚みは大きくすると、導光板１２に入射される光量を確保することができるので、入射面を除く導光板１２の厚みＳを図１（Ｂ）に示す導光板１２の厚みＷよりも薄くすることができる。
【００２５】
フレーム２８を合成樹脂で形成したが、金属製でもよい。また、フレーム２８に凸部２８ａを設けたが、これに代えて反射材などを設けてもよい。
【図面の簡単な説明】
【００２６】
【図１】（Ａ）はこの発明の一実施例の両面発光装置を用いた携帯電話の蓋体を示す断面図である。（Ｂ）は図１（Ａ）に示す両面発光装置、メイン液晶表示ユニットおよびサブ液晶表示ユニットの部分拡大断面図である。
【図２】（Ａ）は図１に示す両面発光装置に用いる導光板のメイン液晶表示ユニットに対応する面を示す斜視図、（Ｂ）は図２（Ａ）に示す導光板のサブ液晶表示ユニットに対応する面を示す斜視図である。
【図３】（Ａ）は図１に示す両面発光装置に用いる導光板の表面にシボを施した状態を示す断面図である。（Ｂ）は図３（Ａ）のシボを施した導光板の縦断面を示す拡大図である。
【図４】（Ａ）は図１に示す両面発光装置に用いる導光板の表面にコーンを施した状態を示す断面図である。（Ｂ）は図４（Ａ）のコーンを施した導光板の縦断面を示す拡大図である。
【図５】（Ａ）は図１に示す両面発光装置に用いる導光板の表面にシボを施した状態を示す断面図である。（Ｂ）は図５（Ａ）の波形を施した導光板の縦断面を示す拡大図である。
【図６】（Ａ）はこの発明の他の実施例の両面発光装置を用いた携帯電話の蓋体を示す断面図である。（Ｂ）は図６（Ａ）に示す両面発光装置、メイン液晶表示ユニットおよびサブ液晶表示ユニットの部分拡大断面図である。
【図７】（Ａ）はこの発明の他の実施例の両面発光装置を用いた携帯電話の蓋体を示す断面図である。（Ｂ）は図７（Ａ）に示す両面発光装置、メイン液晶表示ユニットおよびサブ液晶表示ユニットの部分拡大断面図である。
【図８】（Ａ）は従来のメイン液晶表示装置およびサブ液晶表示装置を備える携帯電話機の折り畳み状態を示す正面図、（Ｂ）は図８（Ａ）に示す携帯電話機の開いた状態を示す正面図である。
【符号の説明】
【００２７】
１０  …  両面発光装置
１２  …  導光板
１２ｂ  …  シボ
１２ｃ  …  コーン
１２ｄ  …  波形
１４  …  サブ液晶表示ユニット
１６  …  半透過型反射材
１８  …  メイン液晶表示ユニット
【図１】
2005108613.tif 000003
【図２】
2005108613.tif 000004
【図３】
2005108613.tif 000005
【図４】
2005108613.tif 000006
【図５】
2005108613.tif 000007
【図６】
2005108613.tif 000008
【図７】
2005108613.tif 000009
【図８】
2005108613.tif 000010